(57)【要約】【課題】医療現場で生じる廃液の処理に際して、衛生的な操作により凝固剤貯留部から廃液収容部に凝固剤を容易かつ確実に移動させることが可能な廃液処理器を提供すること。【解決手段】廃液処理器１であって、上部に開口部１４が形成され廃液が収容される廃液収容部１０と、凝固剤が貯留され前記凝固剤を排出させるベローズ２０と、廃液を流入させる廃液流入路と、流通切換弁３０とを備え、前記流通切換弁３０は、鉛直軸線Ｏ２周りに回動されるとともに、前記軸線Ｏ２周りの回動により前記廃液流入路と供給路の前記軸線Ｏ１の周方向位置が移動されて、前記廃液流入路のみが前記開口部１４と流通する第１切換位置３８Ａと、前記供給路のみが前記開口部１４と流通する第２切換位置３８Ｂとを選択可能とされていることを特徴とする。【選択図】図１
2014079693.tif 000002
【特許請求の範囲】
【請求項１】
上部に開口部が形成され内部に廃液が収容される廃液収容部と、
前記廃液を固化させる凝固剤が貯留される凝固剤貯留部と、
前記凝固剤を前記凝固剤貯留部から排出させる凝固剤排出手段と、
外部から廃液を流入させる廃液流路と、
前記廃液流路と前記排出された凝固剤の供給路のいずれか一方と前記開口部との流通を切換える流通切換部と、を備え、
前記流通切換部は、
水平面と交差する軸線周りに回動可能とされるとともに、この回動により前記廃液流入路と前記供給路の前記軸線に対する周方向位置が移動されて、前記廃液流入路のみが前記開口部と流通する第１切換位置と、前記供給路のみが前記開口部と流通する第２切換位置とを選択可能に構成されていることを特徴とする廃液処理器。
【請求項２】
請求項１に記載の廃液処理器であって、
前記凝固剤排出手段は、
前記凝固剤貯留部の容積を収縮して前記凝固剤を排出することを特徴とする廃液処理器。
【請求項３】
請求項２に記載の廃液処理器であって、
前記凝固剤排出手段は、内部に前記凝固剤貯留部が形成されたベローズにより構成されていることを特徴とする廃液処理器。
【発明の詳細な説明】
【技術分野】
【０００１】
本発明は、血液、リンパ液、洗浄液など、医療現場で生じる廃液の処理に用いる廃液処理器に関する。
【背景技術】
【０００２】
従来、血液、リンパ液、洗浄液など、医療行為で生じた廃液は、医療廃棄物として処理する必要があるため、廃液を収容した容器に凝固剤を投入して廃液を固化することで容器外部への流出が防止されている。
しかしながら、廃液処理容器の蓋を外して凝固剤を投入する場合、蓋を外した状態で内部に収容した廃液が流出して取扱者が感染する虞があるため、衛生的に凝固剤を投入する必要がある。
【０００３】
そこで、廃液処理容器内に凝固剤の投入して廃液を固化する際に、弁体を介して凝固剤を投入することで安全性を高めた廃液処理容器が開発されている（例えば、特許文献１参照。）。
特許文献１に記載された廃液処理容器は、廃液収容部と蓋体とを有しており、蓋体には廃液を廃液収容部内に流入させるための廃液流入管と、廃液収容部内を負圧にするための吸気口が設けられ、廃液収容部内の散布口に向けて凝固剤貯留部が設置された構成とされている。
【０００４】
また、凝固剤貯留部は、凝固剤が貯留される貯留部と、貯留部の底部に位置する中栓を、外部から操作される操作杵を通じて開放する開閉機構とを具備しており、開閉機構により中栓を開閉して、凝固剤を貯留部内から廃液収容部に落下させるようになっている。
【先行技術文献】
【特許文献】
【０００５】
【特許文献１】特開平０７−３０３８７５号公報
【発明の概要】
【発明が解決しようとする課題】
【０００６】
しかしながら、引用文献１に記載の廃液処理容器は、外部に設けられたつまみに対する操作が、操作杵を介して貯留部の底部に配置された中栓に伝達されて中栓を下方に移動させる構成とされており、凝固中栓の開閉機構の構成部材が多く、しかも操作杵が貯留部内を上下に貫通して配置されるなど構造が複雑であり、凝固剤貯留部から廃液収容部内に容易かつ確実に凝固剤を移動させることが困難な場合がある。
【０００７】
この発明は、かかる事情に鑑みてなされたものであって、リンパ液、洗浄液などをはじめとする医療現場で生じる廃液の処理に際して、衛生的な操作により凝固剤貯留部から廃液収容部に凝固剤を容易かつ確実に移動させることが可能な廃液処理器を提供することを目的とする。
【課題を解決するための手段】
【０００８】
上記課題を解決するために、この発明は以下の手段を提案している。
請求項１に記載の発明は、廃液処理器であって、上部に開口部が形成され内部に廃液が収容される廃液収容部と、前記廃液を固化させる凝固剤が貯留される凝固剤貯留部と、前記凝固剤を前記凝固剤貯留部から排出させる凝固剤排出手段と、外部から廃液を流入させる廃液流路と、前記廃液流路と前記排出された凝固剤の供給路のいずれか一方と前記開口部との流通を切換える流通切換部とを備え、前記流通切換部は、水平面と交差する軸線周りに回動可能とされるとともに、この回動により前記廃液流入路と前記供給路の前記軸線に対する周方向位置が移動されて、前記廃液流入路のみが前記開口部と流通する第１切換位置と、前記供給路のみが前記開口部と流通する第２切換位置とを選択可能に構成されていることを特徴とする。
【０００９】
この発明に係る廃液処理器によれば、流通切換部が、水平面と交差する軸線周りに回動され、この回動により廃液流入路と供給路の軸線に対する周方向位置が移動される。第１切換位置を選択した場合は、廃液流入路のみが開口部と流通するので、廃液を収容する際に凝固剤が落下することが抑制される。
また、第２切換位置を選択した場合は、供給路のみが開口部と流通するので、衛生的な操作により凝固剤貯留部から廃液収容部への凝固剤の流通を容易かつ確実に行なうことができ、開口部が供給路のみと流通されるので、凝固剤投入時における廃液の流出を防止することができる。
【００１０】
請求項２に記載の発明は、請求項１に記載の廃液処理器であって、前記凝固剤排出手段は、前記凝固剤貯留部の容積を収縮して前記凝固剤を排出することを特徴とする。
【００１１】
この発明に係る廃液処理器によれば、凝固剤排出手段は、凝固剤貯留部の容積を収縮して凝固剤を排出することで、凝固剤投入操作を容易かつ衛生的に行なうことができる。
【００１２】
請求項３に記載の発明は、請求項２に記載の廃液処理器であって、前記凝固剤排出手段は、内部に前記凝固剤貯留部が形成されたベローズにより構成されていることを特徴とする。
【００１３】
この発明に係る廃液処理器によれば、凝固剤排出手段が、内部に凝固剤貯留部が形成されたベローズであるため容易かつ効率的に操作することができ、凝固剤を排出した後の凝固剤貯留部の容積を小さくした場合は容易に取り扱うことができる。
【発明の効果】
【００１４】
本発明に係る廃液処理容器によれば、医療現場で生じる廃液の処理に際して、衛生的な操作により、凝固剤貯留部から廃液収容部に凝固剤を容易かつ確実に移動させることができる。
【図面の簡単な説明】
【００１５】
【図１】本発明の一実施形態に係る廃液処理器の概略構成を示す分解斜視図である。
【図２】一実施形態に係る廃液処理器のベローズの詳細を説明する縦断面図である。
【図３】一実施形態に係る廃液処理器の作用を説明する図であり、（ａ）は切換弁を第２切換位置から第１切換位置に設定する状態を示す斜視図を、（ｂ）は（ａ）における流通切換弁の縦断面を示す図である。
【図４】一実施形態に係る廃液処理器の作用を説明する図であり、（ａ）は切換弁を第１切換位置から第２切換位置に設定した状態を示す斜視図を、（ｂ）は（ａ）における流通切換弁の縦断面を示す図である。
【発明を実施するための形態】
【００１６】
以下、図１〜図４を参照して、本発明の一実施形態に係る廃液処理器について説明する。
図１は廃液処理器を示す分解斜視図であり、図２は、廃液処理器のベローズの詳細を説明する縦断面図である。また、符号１は廃液処理器を、符号１０は廃液収容部を示している。
廃液処理器１は、廃液収容部１０と、ベローズ（凝固剤貯留部、凝固剤排出手段）２０と、流通切換弁（流通切換部）３０と、廃液流入路３５と、凝固剤を供給する供給路３７とを備え、廃液流入路３５及び供給路３７は流通切換弁３０に形成されている。
【００１７】
廃液収容部１０は、図１に示すように、廃液収容部本体１１と、廃液収容部本体１１の上部に設けられた蓋体１２とを備えている。
廃液収容部本体１１は、例えば、廃液を吸引時の負圧で変形しない程度の厚さを有する透明プラスチックを有底筒状に形成したものであり、内部の廃液量及び状態を目視できるようになっている。
【００１８】
蓋体１２は、廃液収容部本体１１の開口に取付けて廃液収容部本体１１の開口縁部を液密に覆うものであり、上部には上方に延在する投入管受筒１３及び吸引管１５が形成されている。
【００１９】
投入管受筒１３は、流通切換弁３０の投入管３２が挿入されるものであり、廃液及び凝固剤は、投入管３２の流路を流通するようになっている。
吸引管１５は、廃液収容部１０に廃液を流入させる際に、図示しない減圧手段が接続されるようになっていて、廃液収容部１０内をわずかに減圧することで廃液が流入され易くするものである。
また、廃液収容部１０は、蓋体１２を廃液収容部本体１１に取付けた状態で、廃液収容部１０の内部が外部と投入管受筒１３及び吸引管１５の孔のみにより流通するようになっている。
【００２０】
ベローズ２０は、図２に示すように、可撓性を有する変形自在なビニル樹脂等により形成され、軸線Ｏ１の径方向外方に膨らむ凸形状部と径方向内方に縮径される凹形状部とが軸線Ｏ１方向に交互に配列された伸縮部（凝固剤排出手段）２１を有し、この伸縮部２１の内部が凝固剤貯留部２２とされている。
【００２１】
また、伸縮部２１は、下方（排出口２４側）に軸線Ｏ１方向に伸縮可能かつ所定角度（凝固剤の安息角度；例えば、３０°）の内周面を有する傾斜収縮部２１Ａとされていて、吸引管１５からの吸引がない状態においても、凝固剤が自重により排出口２４に向かって流動可能とされている。なお、ベローズ２０の軸線Ｏ１は、廃液処理器１を水平な床面に設置した場合に鉛直方向となるように設定されていて、凝固剤には排出口２４に向かう力が作用するようになっている。
【００２２】
その結果、凝固剤貯留部２２に貯留された凝固剤は、排出口２４が開放されると排出口２４から自重で排出可能とされ、また、伸縮部２１を軸線Ｏ１方向に押圧して凝固剤貯留部２２の容積を収縮させることで排出口２４からの排出が促進されるようになっている。
【００２３】
また、ベローズ２０は、図２に示すように、内部に軸線Ｏ１方向下方に突出する円筒凸部２５Ａが形成されるとともに、ベローズ２０の下方に円筒凸部２５Ａが嵌挿可能な嵌挿孔２５Ｂが形成されていて、ベローズ２０を軸線Ｏ１方向に収縮させて凝固剤を排出させた後に、円筒凸部２５Ａを嵌挿孔２５Ｂに嵌挿させることで、伸縮部２１の収縮状態を保持できるようになっている。すなわち、円筒凸部２５Ａと、円筒凸部２５Ａは、収縮状態保持機構２５を構成している。
【００２４】
なお、凝固剤貯留部２２に貯留される凝固剤としては、例えば、ポリアクリル酸ソーダ、デンプンとポリアクリル酸ソーダとのグラフト共重合物、酢酸ビニルとアクリル酸メチルとの共重合物のケン化物、酢酸ビニルと無水マレイン酸共重合物のケン化物、イソブチレンと無水マレイン酸共重合物のケン化物等、高吸水性ポリマーを用いることができる。
【００２５】
また、高吸水性ポリマーとともに、凝固促進剤として、例えば、血液タンパク中に遊離しているアミノ基又はカルボキシル基と反応して不溶化させるためのグルタルアルデヒド、グリオキサール、アセトアルデヒド等のアルデヒド系架橋剤等のタンパク架橋剤を用いてもよい。
【００２６】
流通切換弁３０は、有底円筒状の切換弁ハウジング３１と、外形が円柱形状部の一部からなる弁体３３と、切換レバー３８とを備え、弁体３３は、切換弁ハウジング３１に回動自在に嵌挿されている。
切換弁ハウジング３１は、有底円筒状体に形成され底部には開口部１４が設けられ、開口部１４から下方に投入管３２が延在しており、投入管３２の流路には開口部１４を介して廃液及び凝固剤が流通するようになっている。また、切換弁ハウジング３１の側部には外部から廃液を流入させるための廃液流入管３６が形成されている。
また、切換弁ハウジング３１の廃液流入管３６と反対側の外周には、外周に突出し先端側が膨らむ係止凸部３１Ａが形成されている。
【００２７】
弁体３３は、外形が円柱とされた底部から側壁を斜めに横切る傾斜部３３Ａが形成され、底部の反対側から底部側に窪む凹部３４が形成されている。
また、弁体３３の底部には、凝固剤が通過する供給孔３７Ａが形成され、凝固剤は凹部３４及び供給孔３７Ａにより構成される供給路３７を介して開口部１４に流通するようになっている。なお、凹部３４はベローズ２０の排出口２４が接続されている。その結果、凹部３４には排出口２４から排出された凝固剤が貯留されており、供給孔３７Ａが開口部１４と重なった場合に、弁体３３の底部が平板状とされ厚さが小さいため、凹部３４内の凝固剤が開口部１４に容易に移動されるようになっている。
【００２８】
また、切換弁ハウジング３１の内面と傾斜部３３Ａの間には廃液流入路３５が形成され、廃液流入管３６を介して流入した廃液が廃液流入路３５を通じて開口部１４から投入管３２内の流路に移送されるようになっている。
廃液流入路３５と供給路３７は、図１に示すように、軸線Ｏ２に対して異なる周方向位置に形成されている。この実施形態において、軸線Ｏ２は廃液処理器１を設定した場合の水平面と直交するとともに軸線Ｏ１と同軸に配置されている。
【００２９】
切換レバー３８は、可撓性のある樹脂により細長い平板に形成されるとともに基端側が弁体３３に連結されていて、操作者が切換レバー３８を軸線Ｏ２周りに、例えば、１８０°回動することで弁体３３が水平面に沿って回動され、廃液流入路３５、供給路３７と開口部１４との相対位置が変化するようになっている。
また、切換レバー３８の長手方向の途中には、切換レバー３８を切換弁ハウジング３１側に撓ませることで係止凸部３１Ａを挿通して係止するための係止孔３９が形成されている。係止孔３９は、係止凸部３１Ａの先端の膨らんだ部分を挿通させやすいように外周側に丸形状部３９Ａが形成されている。
【００３０】
また、弁体３３は、切換レバー３８を矢印ａ及び矢印ｂ方向に回動して第１切換位置３８Ａと第２切換位置３８Ｂに設定可能とされていて、第１切換位置３８Ａに設定した場合は、図３に示すように、廃液流入路３５は廃液流入管３６と流通し、かつ廃液流入路３５のみが開口部１４と流通するようになっている。また、第２切換位置３８Ｂに設定された場合は、図４に示すように、供給路３７のみが開口部１４と流通するようになっている。
また、第１切換位置３８Ａでは供給路３７と開口部１４との流通が遮断され、第２切換位置３８Ｂでは廃液流入路３５と開口部１４との流通が遮断されるようになっている。
【００３１】
次に、図３、図４を参照して、廃液処理器１の作用について説明する。
＜廃液の吸引＞
まず、廃液処理器１を、患者近くの所定位置に配置する。廃液処理器１は、初期状態において、切換レバー３８が切換弁ハウジング３１側に撓まされるとともに係止孔３９に係止凸部３１Ａが挿通されていて、切換レバー３８を誤操作することでベローズ２０内の凝固剤が廃液収容部１０内に流通しないように設定されている。そこで、係止孔３９から係止凸部３１Ａを抜いて、切換レバー３８が第１切換位置３８Ａから第２切換位置３８Ｂに回動できるように水平にする。
【００３２】
次に、図３に示すように、切換レバー３８を矢印ａ方向に回動して第１切換位置３８Ａに設定し、廃液流入路３５と開口部１４とを流通させる。
次いで、体液等の廃液を患者から移送するため、図示しないチューブの一端側を廃液流入管３６に接続する。なお、チューブの他端側は患者に接続される。
次いで、図示しない減圧装置を吸引管１５に接続して、廃液収容部１０内を吸引する。廃液収容部１０内を吸引すると、患者から廃液処理器１側に廃液が移送される。廃液処理器１側に移動した廃液は、廃液流入管３６を通じて、弁体３３の傾斜部３３Ａと切換弁ハウジング３１内面により形成された廃液流入路３５及び開口部１４を通じて廃液収容部１０内に流入する。
【００３３】
＜廃液の固化＞
次に、廃液収容部１０内に所定量の廃液が収容されたら、チューブを廃液流入管３６から取りはずすともに減圧装置を吸引管１５から取りはずす。
次いで、図４に示すように、切換レバー３８を矢印ｂ方向に回動して第２切換位置３８Ｂに設定する。
第２切換位置３８Ｂに設定して供給路３７と開口部１４が流通したら、ベローズ２０の上端部を軸線Ｏ１方向に押圧して伸縮部２１を収縮させる。ベローズ２０は伸縮部２１が収縮した状態で保持する。
伸縮部２１が収縮すると凝固剤貯留部２２の容積が小さくなり、凝固剤貯留部２２内の凝固剤が排出口２４から排出され、供給路３７（凹部３４及び供給孔３７Ａ）及び開口部１４を通じて廃液収容部１０内に投下されて廃液が固化される。
次いで、廃液が固化されたら、廃液処理器１ごと医療廃棄物として廃棄する。
【００３４】
一実施形態に係る廃液処理器１によれば、流通切換弁３０を第１切換位置３８Ａに切り換えることで廃液流入路３５のみを開口部１４と流通させ、第２切換位置３８Ｂに切り換えることで供給路３７のみを開口部１４と流通させることができる。また、第２切換位置３８Ｂを選択した場合に、供給路３７のみが開口部１４と流通するので、衛生的な操作により凝固剤貯留部２２から廃液収容部１０に凝固剤を容易かつ確実に投入させることができる。また、開口部１４が供給路３７のみと流通されることで、凝固剤投入時における廃液の流出を防止することができる。
【００３５】
また、廃液処理器１によれば、伸縮部２１の内部に凝固剤貯留部２２が形成されたベローズ２０であるため、容易かつ効率的に操作することができる。
また、凝固剤を排出した後の凝固剤貯留部２２の容積を小さくすることができるので、取り扱いが容易であり、取り扱いスペースを小さくすることができる。
【００３６】
なお、本発明は、上記実施の形態に限定されるものではなく、発明の趣旨を逸脱しない範囲において種々の変更をすることが可能である。
例えば、上記実施の形態においては、凝固剤排出手段がベローズ２０である場合について説明したが、収縮可能な袋体、収縮可能なチューブ等の弾性体、シリンジなど、容積収縮により凝固剤を排出可能なベローズ２０以外の種々の手段を適用してもよい。
【００３７】
また、上記実施の形態においては、弁体３３の傾斜部３３Ａと切換弁ハウジング３１間に廃液流入路３５が形成され、弁体３３の凹部３４と供給孔３７Ａにより供給路３７が形成される場合について説明したが、例えば、廃液流入路と供給路の双方を弁体内周側に形成された凹部と孔により構成し、又は廃液流入路と供給路の双方を弁体外周側の凹部に形成し、又は弁体内周側の凹部と供給孔により廃液流入路を構成しかつ弁体外周側の凹部に供給路を形成するかは、任意に設定することができる。
【００３８】
また、上記実施の形態においては、ひとつの開口部１４が廃液流入路３５及び供給路３７と選択的に流通される場合について説明したが、例えば、廃液流入路３５と供給路３７のそれぞれに対応する２系統の孔により開口部を構成してもよいし、その場合に各系統のいずれかを複数の孔により構成してもよい。
【００３９】
また、上記実施の形態においては、切換レバー３８の操作により、弁体３３が水平面と直交する軸線Ｏ２周りに水平面に沿って回動される場合について説明したが、弁体３３が水平面と９０°以外の角度で交差する軸線周りに水平面以外の面に沿って回動されてもよい。
また、上記実施の形態においては、ベローズ２０の軸線Ｏ１と弁体３３が回動する軸線Ｏ２が同軸に配置されている場合について説明したが、軸線Ｏ１と軸線Ｏ２とが同軸でない構成とされてもよい。
【産業上の利用可能性】
【００４０】
本発明に係る廃液処理器によれば、血液、リンパ液、洗浄液などの廃液を外部に飛散させずに安全に処理できるので、産業上利用可能である。
【符号の説明】
【００４１】
Ｏ１  軸線（ベローズ）
Ｏ２  軸線（弁体）
１  廃液処理器
１０  廃液収容部
１１  廃液収容部本体
１２  蓋体
１３  投入管受筒
１４  開口部
１５  吸引管
２０  ベローズ
２１  伸縮部（凝固剤排出手段）
２２  凝固剤貯留部
２４  排出口
３０  流通切換弁（流通切換部）
３１  切換弁ハウジング
３２  投入管
３３  弁体
３４  凹部
３５  廃液流入路
３６  廃液流入管
３７  供給路
３７Ａ  供給孔
３８  切換レバー
３８Ａ  第１切換位置
３８Ｂ  第２切換位置
【図１】
2014079693.tif 000003
【図２】
2014079693.tif 000004
【図３】
2014079693.tif 000005
【図４】
2014079693.tif 000006